(57)【要約】      （修正有）【課題】再充填可能なエアゾール容器の開口側円筒状部に取付けるネジキャップの締めトルクのばらつきを防止して、開口側円筒状部とシール部材との過度な密接状態を防止し、ネジキャップの取り付け・取り外しの簡単化，安定化を図る。【解決手段】ネジキャップを、従動爪（３ｅ，３ｈ）を有し容器本体の開口側円筒状部に螺合する内筒状キャップ３と、駆動爪４ｄおよび回動操作面４ａを有する外筒状キャップ４とで構成した。従動爪および駆動爪は回動方向に対する直交面（３ｆ，３ｊ，４ｅ）と斜面（３ｇ，３ｋ，４ｆ）とを有している。ネジキャップを容器本体に取り付けるときには斜面同士が当接し、また取り外すときには直交面同士が当接して、操作トルクを伝達する。取り付けるときに一定以上の操作トルクが加わると斜面同士が滑り、外筒状キャップ４が空回りして操作トルクが内筒状キャップ３に伝達されない。【選択図】図２
2012017129.tif 000002
【特許請求の範囲】
【請求項１】
噴射剤の再充填が可能なエアゾール容器本体の開口側の円筒状部とのネジ結合部分および、当該円筒状部に取り付けられるシール部材への押付け作用面を有し、かつ、当該円筒状部に対する当該ネジ結合部分の螺合作用により、当該押付け作用面を介して、当該円筒状部に当該シール部材を圧接させる機能を備えた、再充填可能なエアゾール容器用のネジキャップにおいて、
前記ネジ結合部分，前記押付け作用面およびラチェット係合用の第１の爪部が形成された内筒状キャップと、
前記第１の爪部とラチェット係合する第２の爪部が形成され、前記螺合作用を奏するための回動操作対象である外筒状キャップと、を有している、
ことを特徴とする再充填可能なエアゾール容器用のネジキャップ。
【請求項２】
前記内筒状キャップおよび前記外筒状キャップは、
当該内筒状キャップに対する当該外筒状キャップの回動を可能とし、かつ、それぞれの上下方向への相対的な移動を阻止するための係合作用部を有している、
ことを特徴とする請求項１記載の再充填可能なエアゾール容器用のネジキャップ。
【請求項３】
請求項１または請求項２に記載の再充填可能なエアゾール容器用のネジキャップが、噴射剤充填用の注入部を有する容器本体の開口側の円筒状部に螺合状態で取り付けられた、エアゾール式噴射機構において、
前記円筒状部は、
前記ネジ結合部分の螺合相手である外周面ネジ部を備え、
前記シール部材は、
前記第１の爪部と前記第２の爪部とのラチェット係合に基づき、前記円筒状部に圧接している、
ことを特徴とするエアゾール式噴射機構。
【請求項４】
請求項３記載のエアゾール式噴射機構を備え、かつ、噴射剤および内容液を収容した、
ことを特徴とするエアゾール式製品。
【発明の詳細な説明】
【技術分野】
【０００１】
本発明は、エアゾール容器本体の開口側円筒状部（以下、必要に応じて単に「開口側円筒状部」という）と螺合するネジ結合部分と、この開口側円筒状部に取り付けられる容器本体シール部材への押付け作用面とを備えた、再充填可能なエアゾール容器用のネジキャップなどに関する。
【０００２】
特にネジキャップの全体を、開口側円筒状部に螺合してそのシール部材への押付け作用を呈する内筒状キャップと、当該開口側円筒状部への取り付けに際して直接の回動締付操作対象となる外筒状キャップ（カバー）との別部材で構成し、かつ、当該キャップ同士をラチェット係合させたものである。
【０００３】
この内筒状キャップおよび外筒状キャップのラチェット係合により、ネジキャップ全体がトルクリミッタとして作用する。
【０００４】
すなわち、利用者がエアゾール容器本体の開口側円筒状部からその螺合相手のネジキャップをいったん取外して容器内部に内容物を補充した後、再度、ネジキャップ（外筒状キャップ）を回動締付操作して容器本体に螺合させる場合に、その回動トルクがシール部材の適正圧接状態に対応する所定値を超えると、回動操作対象の外筒状キャップは内筒状キャップに対していわば空回りする。この空回り状態への移行後、内筒状キャップが外筒状キャップとともに回動することはない。
【０００５】
これにより、ネジキャップの回動操作にともなって開口側円筒状部の例えば上端環状部分に当接するシール部材が、利用者の強すぎる回動締付操作により当該開口側円筒状部との過度な密接状態に設定される、ことを防止している。また、回動締付操作にともなうネジキャップ締めトルクのばらつきが生じないようにしている。
【０００６】
なお、本明細書においては、エアゾール容器本体，ネジキャップ，シール部材，マウンティングキャップ，ハウジングや操作ボタンなどが完全に組み立てられて、エアゾール容器本体に内容物（内容液）および噴射剤（圧縮空気）が収容された状態のものを「エアゾール式製品」と記載する。また、外部空間域への内容物放出用噴射剤の一例として「圧縮空気」を記載する。
【背景技術】
【０００７】
従来、エアゾール容器本体側に巻締めなどの方法で固定されて通常は取り外すことのない形式のマウンティングキャップに代えて、利用者の回動操作により開口側円筒状部に着脱自在な形で螺合するネジキャップ（カバー）を用い、かつ、エアゾール容器本体の底部に圧縮空気再充填用の注入バルブを設けたエアゾール式噴射機構が提案されている（特許文献１，２，３参照）。
【０００８】
このような着脱自在なネジキャップを用いるエアゾール式噴射機構では勿論、利用者が、これを脱方向に回動操作して略空状態のエアゾール容器本体から取り外した上で、新たに内容物を当該容器本体に再充填することが可能である。
【０００９】
ただ、ネジキャップは単一部材からなり、ネジキャップへ利用者が加える回動操作力がいわば直に開口側円筒状部とそのシール部材との圧接状態に反映される。
【００１０】
そのため、利用者のネジキャップ取付け用の回動締付操作力が強すぎる場合には、この回動操作にともないエアゾール容器本体の開口側円筒状部に圧接されていくシール部材が、当該開口側円筒状部に過度な密接状態で取り付けられてしまう。また、回動締付操作にともなうネジキャップ締めトルクのばらつきが生じやすい。
【先行技術文献】
【特許文献】
【００１１】
【特許文献１】特開昭５４−０７８５１３号公報
【特許文献２】特開平０８−１５６９８４号公報
【特許文献３】実開昭６２−１３０７５４号公報
【発明の概要】
【発明が解決しようとする課題】
【００１２】
従来のネジキャップを用いるエアゾール式噴射機構においては、上述のようにシール部材が過度な密接状態に設定された場合、圧縮空気などが外部に洩れたりすることを、この容器本体と外部空間域との間の十分すぎるシール性により確実に防止できるものの、エアゾール式製品が例えば高温状態におかれたりするとこの十分すぎるシール性のために内圧が異常上昇して当該製品自体の爆発を誘引しかねないという問題点があった。
【００１３】
また、回動締付操作にともなうネジキャップ締めトルクのばらつきが生じやすいという問題点があった。
【００１４】
また、ネジキャップと開口側円筒状部との間のネジ結合力が強すぎる場合には、エアゾール容器本体に内容物を補充しようとする利用者がネジキャップを取り外しにくいという問題点があった。
【００１５】
そこで本発明では、回動締付操作によりエアゾール式容器本体の開口側円筒状部に螺合してそのシール部材を圧接するネジキャップを、この螺合作用および圧接作用を呈する内筒状キャップと、これとは別部材で回動締付操作に用いられる外筒状キャップとで構成し、これらのキャップ同士をラチェット係合させている。
【００１６】
すなわち、この回動操作時のラチェット係合に基づく内筒状キャップと開口側円筒状部との螺合作用により、エアゾール容器本体の内部空間域についての適正な所定のシール性能を確保するとともに、エアゾール式製品の使用環境の高温化などで当該内部空間域の圧力が過度に上昇しようとする場合には、シール部材の変形にともなう開口側円筒状部との部分的な隙間を生じさせて、圧縮空気などがこの隙間から洩れるようにしてエアゾール容器本体の内圧上昇を防いでいる。
【００１７】
また、回動締付操作にともなうネジキャップ締めトルクのばらつきが生じないようにしている。
【００１８】
このようなラチェット係合の内筒状キャップおよび外筒状キャップからなるネジキャップを用いているので、利用者は当該ネジキャップの回動操作に際して外筒状キャップをどの程度まで回動すべきか（＝どの程度で回動締付操作をやめるべきか）などを何ら気にせずに、外筒状キャップをそれが空回りするまで操作すればよく、また、この螺合状態の解除操作も楽におこなえる。
【００１９】
これにより、ネジキャップをエアゾール容器本体の開口側円筒状部に取り付ける際の、また、ネジキャップを当該開口側円筒状部から取り外す際の各回動操作の簡単化，安定化を図るとともに、エアゾール式製品使用上の安全性の向上化を図ることを目的とする。
【００２０】
また、エアゾール容器本体の開口側円筒状部からネジキャップを取り外した際に容器本体を除く構成部材のすべてがネジキャップとの単一ユニットの形で取り扱えるようにして、内容液，圧縮空気の再充填後にネジキャップなどをエアゾール容器本体に取り付けるときの利用者の作業利便化を図ることを目的とする。
【課題を解決するための手段】
【００２１】
本発明は、以上の課題を次のようにして解決する。
（１）噴射剤の再充填が可能なエアゾール容器本体（例えば後述の容器本体１）の開口側の円筒状部（例えば後述の開口側円筒状部１ａ）とのネジ結合部分（例えば後述のキャップ側ネジ部分３ａ，１３ａ）および、当該円筒状部に取り付けられるシール部材（例えば後述の環状シール部材６）への押付け作用面（例えば後述の環状天井面３ｂ，１３ｂ）を有し、かつ、当該円筒状部に対する当該ネジ結合部分の螺合作用により、当該押付け作用面を介して、当該円筒状部に当該シール部材を圧接させる機能を備えた、再充填可能なエアゾール容器用のネジキャップにおいて、
前記ネジ結合部分，前記押付け作用面およびラチェット係合用の第１の爪部（例えば後述の長従動爪３ｅ，短従動爪３ｈ，従動爪１３ｅ）が形成された内筒状キャップ（例えば後述の内筒状キャップ３，１３）と、
前記第１の爪部とラチェット係合する第２の爪部（例えば後述の駆動爪４ｄ，１４ｃ）が形成され、前記螺合作用を奏するための回動操作対象である外筒状キャップ（例えば後述の外筒状キャップ４，１４）と、を有している。
（２）上記（１）において、
前記内筒状キャップおよび前記外筒状キャップは、
当該内筒状キャップに対する当該外筒状キャップの回動を可能とし、かつ、それぞれの上下方向への相対的な移動を阻止するための係合作用部（例えば後述の凸状部３ｃ，１３ｃおよび環凹状部４ｈ，１４ｆ）を有している。
（３）上記（１）または（２）に記載の再充填可能なエアゾール容器用のネジキャップが、噴射剤充填用の注入部（例えば後述の注入弁１ｄ）を有する容器本体（例えば後述の容器本体１）の開口側の円筒状部（例えば後述の開口側円筒状部１ａ）に螺合状態で取り付けられた、エアゾール式噴射機構において、
前記円筒状部は、
前記ネジ結合部分（例えば後述のキャップ側ネジ部分３ａ，１３ａ）の螺合相手である外周面ネジ部（例えば後述の容器本体側ネジ部分１ｂ）を備え、
前記シール部材（例えば後述の環状シール部材６）は、
前記第１の爪部（例えば後述の長従動爪３ｅ，短従動爪３ｈ，従動爪１３ｅ）と前記第２の爪部（例えば後述の駆動爪４ｄ，１４ｃ）とのラチェット係合に基づき、前記円筒状部に圧接している。
【００２２】
このような構成からなる再充填可能なエアゾール容器用のネジキャップ，エアゾール式噴射機構および、このエアゾール式噴射機構を備えたエアゾール式製品を本発明の対象としている。
【発明の効果】
【００２３】
本発明は以上の課題解決手段により、
(11)エアゾール容器本体の開口側円筒状部にネジキャップを取り付ける際、また、当該開口側円筒状部から取り外す際の各回動操作の簡単化，安定化を図り、
(12)内容液，圧縮空気の再充填後にネジキャップなどをエアゾール容器本体に取り付けるときの利用者の作業利便化を図る、
ことができる。
【図面の簡単な説明】
【００２４】
【図１】ラチェット係合する内筒状キャップおよび外筒状キャップ（カバー）からなるネジキャップを用いたエアゾール式噴射機構（その１）を示す断面図である。
【図２】図１の内筒状キャップおよび外筒状キャップ（カバー）それぞれのラチェット係合爪を示す説明図である。
【図３】ラチェット係合する内筒状キャップおよび外筒状キャップ（カバー）からなるネジキャップを用いたエアゾール式噴射機構（その２）を示す断面図である。
【図４】図３の内筒状キャップおよび外筒状キャップ（カバー）それぞれのラチェット係合爪を示す説明図である。
【発明を実施するための形態】
【００２５】
図１〜図４を用いて本発明を実施するための形態を説明する。
【００２６】
各図で用いるアルファベット付き参照番号の構成要素（例えば開口側円筒状部１ａ）は原則として、当該参照番号の数字部分の構成要素（例えば容器本体１）の一部であることを示している。
【００２７】
図１および図２において、
１は内容液および圧縮空気が収容される容器本体，
１ａは容器本体上部分に形成されて後述のネジキャップ２が着脱自在な形で取り付けられる開口側円筒状部，
１ｂは当該開口側円筒状部の外周面に形成された容器本体側ネジ部分，
１ｃは当該容器本体側ネジ部分の下方外周面に形成された環状段部，
１ｄは当該容器本体の底部に設けられた周知の圧縮空気充填用の注入弁，
２は後述の内筒状キャップ３および外筒状キャップ４からなり、開口側円筒状部１ａに着脱自在な形で螺合するネジキャップ，
３は開口側円筒状部１ａの容器本体側ネジ部分１ｂと螺合する内筒状キャップ，
３ａは当該内筒状キャップの上側内周面に形成された螺合用のキャップ側ネジ部分，
３ｂは後述の環状シール部材６を開口側円筒状部１ａの上端部分に（後述のマウンティングキャップ５を介して）押付けるように作用する環状天井面，
３ｃは当該内筒状キャップの外周面下端部の周方向に飛び飛びに形成されて後述の環凹状部４ｈと係合する凸状部，
３ｄは当該内筒状キャップの環状上面，
３ｅは当該環状上面の内端側（開口端側）に、その周方向に沿った三個単位で、それぞれが環状上面３ｄのいわば径方向に伸びる等間隔の上向き態様で形成されたラチェット係合用の長従動爪，
３ｆは当該長従動爪の片方の面であって環状上面３ｄに対し略直交する長起立面，
３ｇは当該長従動爪の他方の面であって、環状上面３ｄに対し上方からみて時計方向の上り略４５度の傾きからなる長上向き斜面，
３ｈは隣同士の長従動爪３ｅの上面内端側間に、環状上面３ｄの径方向に伸びる等間隔の上向き態様で形成された三個単位のラチェット係合用の短従動爪，
３ｊは当該短従動爪の片方の面であって環状上面３ｄに対し略直交する短起立面，
３ｋは当該短従動爪の他方の面であって環状上面３ｄに対し長上向き斜面３ｇと同一方向の略４５度の傾きからなる短上向き斜面，
４は内筒状キャップ３とラチェット係合して、利用者のネジキャップ取り付けのための回動締付操作の対象となる外筒状キャップ，
４ａは当該外筒状キャップの回動締付操作をしやすくするための縦方向溝状部が複数形成された回動操作用外周面，
４ｂは当該外筒状キャップの環状天井部，
４ｃは当該環状天井部の内端側（開口端側）にその周方向に伸びるいわば片持ち梁態様で形成された計三個の可動片部，
４ｄは当該可動片部の天井面側に下向き態様で形成された計三個のラチェット係合用の駆動爪，
４ｅは当該駆動爪の片方の面であって環状天井部４ｂに対し略直交する垂下面，
４ｆは当該駆動爪の他方の面であって環状天井部４ｂに対し、長上向き斜面３ｇおよび短上向き斜面３ｋと同一方向（下方からみて反時計方向の下り）略４５度の傾きからなる下向き斜面，
４ｇは可動片部４ｃの回りに形成されたＬ字状貫通部，
４ｈは内筒状キャップ３の凸状部３ｃと係合して、ネジキャップ２（内筒状キャップ３＋外筒状キャップ４）の一体化を図り、特にネジキャップのラチェット作動時に当該外筒状キャップが内筒状キャップ３から上方向に外れるのを阻止するための環凹状部，
４ｊは当該環凹状部の直下に形成されて、一体化前の内筒状キャップ３の凸状部３ｃと外筒状キャップ４の環凹状部４ｈとの係合作業を容易にするための環状膨出部，
４ｋは当該外筒状キャップの内周面上側に飛び飛びに複数形成されて、内筒状キャップ３との間のガイド作用を呈する縦リブ状部，
５は内筒状キャップ３の環状天井面３ｂに当接し、かつ、当該内筒状キャップの内周面上側部分に嵌合した形のマウンティングキャップ，
５ａは当該マウンティングキャップの外上端側に形成された環蒲鉾状膨らみ部，
６は環蒲鉾状膨らみ部５ａに係合保持された形の環状シール部材，
７は外部空間への通路部が形成された上下動タイプの周知の押しボタン，
７ａは内容液などの通路部，
７ｂは内容液噴射用の孔部，
８は押しボタン７の通路部７ａと嵌合して周知の弁作用を呈するステム，
９はマウンティングキャップ５に取り付けられて、その内部空間域にステム８を含む周知のバルブ機構が設定されたハウジング，
１０はハウジング９に取り付けられた内容液流入用のチューブ，
Ａは開口側円筒状部１ａにネジキャップ２を取り付けるときの回動操作方向，
Ｂは開口側円筒状部１ａからネジキャップ２を取り外すときの回動操作方向，
をそれぞれ示している。
【００２８】
図１および図２のエアゾール式噴射機構の基本的特徴は、
(21)エアゾールタイプの容器本体１の開口側円筒状部１ａにネジ結合状態で取り付けられるネジキャップ２を、開口側円筒状部１ａに螺合する内筒状キャップ３と、当該内筒状キャップにラチェット係合する外筒状キャップ４とで構成し、
(22)外筒状キャップ４に対する利用者からの回動操作トルクが強すぎる場合にも、環状シール部材６は、適正な回動操作トルクで締め付けられたときと同じ状態（＝エアゾール式製品の内圧の異常上昇の際に環状シール部材６の変形が生じて容器本体内部の圧縮空気などが外部へリークする状態）で開口側円筒状部１ａに圧接される、
(23)回動締付操作にともなうネジキャップ締めトルクのばらつきが生じない、
(24)ネジキャップ２を開口側円筒状部１ａから取り外した後も、凸状部３ｃと環凹状部４ｈとの係合作用や、内筒状キャップ３とマウンティングキャップ５との嵌合作用などにより、容器本体１を除く他の各構成部材（ネジキャップ２，マウンティングキャップ５，環状シール部材６，押しボタン７，ステム８，ハウジング９，チューブ１０）が一つのユニットになっている、
ことである。
【００２９】
上記(22)で述べたように、容器本体１に内容液および圧縮空気を収容したエアゾール式製品の内圧が高温環境下などで異常上昇しようとする場合には、必ず環状シール部材６の変形などが生じる。
【００３０】
そのため、開口側円筒状部１ａと環状シール部材６との間のシール性がいくらか失われて圧縮空気などが容器本体１から「開口側円筒状部１ａと環状シール部材６との隙間−容器本体側ネジ部分１ｂとキャップ側ネジ部分３ａとの隙間−環状段部１ｃと内筒状キャップ３の内周面との隙間」の経路で外部空間にリークし、容器内圧の異常増加によってエアゾール式製品が爆発するようなことは生じない。
【００３１】
図３および図４のエアゾール式噴射機構が図１および図２のそれと異なる点は、概略、
(31)内筒状キャップおよび外筒状キャップがそれぞれ容器本体１と同じように開口側円筒状部を備え、
(32)ラチェット従動爪が内筒状キャップの開口側円筒状部の外周面に形成され、
(33)ラチェット駆動爪が外筒状キャップの開口側円筒状部の内周面に形成され、
(34)内筒状キャップおよび外筒状キャップの開口側円筒状部のために設置位置が高くなってしまう操作ボタンと、図１および図２の場合と同じ高さのステム上端部分を接続するジョイントを新たに設けた、
ことなどである。
【００３２】
図３および図４においても、容器本体１，マウンティングキャップ５，環状シール部材６，押しボタン７，ステム８，ハウジング９，チューブ１０に関する参照番号および、回動操作方向Ａ，Ｂはそのまま用いる。
【００３３】
図３および図４において新たに用いる参照番号は以下の通りであり、
１２は後述の内筒状キャップ１３および外筒状キャップ１４からなって容器本体１の開口側円筒状部１ａに着脱自在な形で螺合するネジキャップ，
１３は開口側円筒状部１ａの容器本体側ネジ部分１ｂと螺合する内筒状キャップ，
１３ａは当該内筒状キャップの上側内周面に形成された螺合用のキャップ側ネジ部分，
１３ｂは環状シール６を開口側円筒状部１ａの上端部分に押付ける環状天井面，
１３ｃは当該内筒状キャップの外周面下端部の周方向に飛び飛びに形成されて後述の環凹状部１４ｆと係合する凸状部，
１３ｄは当該内筒状キャップの開口側円筒状部，
１３ｅは当該開口側円筒状部の外周面の周方向全体にわたって多数形成されたラチェット係合用の従動爪，
１３ｆは当該従動爪を構成して長起立面３ｆおよび短起立面３ｊと同様の作用を呈する外向き起立面，
１３ｇは当該従動爪を構成して長上向き斜面３ｇおよび短上向き斜面３ｋと同様の作用を呈する外向き斜面，
１４は内筒状キャップ１３とラチェット係合して、利用者のネジキャップ取り付けのための回動操作の対象となる外筒状キャップ，
１４ａは当該外筒状キャップの回動操作をしやすくするための縦方向溝状部が複数形成された回動操作用外周面，
１４ｂは当該外筒状キャップの開口側円筒状部，
１４ｃは当該開口側円筒状部の内周面の周方向の対向部分に形成された計二個のラチェット係合用の駆動爪，
１４ｄは当該駆動爪を構成して垂下面４ｅと同様の作用を呈する内向き起立面，
１４ｅは当該駆動爪を構成して下向き斜面４ｆと同様の作用を呈する内向き斜面，
１４ｆは内筒状キャップ１３の凸状部１３ｃと係合して、外筒状キャップ４の環凹状部４ｈと同様の作用を呈する環凹状部，
１４ｇは外筒状キャップ４の環状膨出部４ｊと同様の作用を呈する環状膨出部，
２０は押しボタン７の通路部とステム８の上端部（下流側端部）とを連結するためのステムジョイント，
２０ａは内容液などの通路部分，
をそれぞれ示している。
【００３４】
図３および図４のエアゾール式噴射機構の基本的特徴は図１および図２のそれと同じである。
【００３５】
すなわち、上記(21)〜(24)と同様に、
(31)ネジキャップ１２を、開口側円筒状部１ａに螺合する内筒状キャップ１３と、これにラチェット係合する外筒状キャップ１４とで構成し、
(32)外筒状キャップ１４に対する利用者からの回動操作トルクが強すぎる場合にも、環状シール部材６は、適正な回動操作トルクで締め付けられたときと同じ状態で開口側円筒状部１ａに圧接される、
(33)回動締付操作にともなうネジキャップ締めトルクのばらつきが生じない、
(34)ネジキャップ１２を開口側円筒状部１ａから取り外した後も、容器本体１を除く他の各構成部材（ネジキャップ１２，マウンティングキャップ５，環状シール部材６，押しボタン７，ステム８，ハウジング９，チューブ１０，ステムジョイント２０）が一つのユニットになっている、
ことである。
【００３６】
また、図１および図２のエアゾール噴射機構と同じように、容器内圧の異常増加によってエアゾール式製品が爆発するようなことは生じない（〔００３０〕参照）。
【００３７】
図１〜図４のエアゾール噴射機構において、容器本体１，ネジキャップ２，１２，押しボタン７，ステム８，ハウジング９，チューブ１０およびステムジョイント２０などはポリプロピレン，ポリエチレン，ポリアセタール，ナイロン，ポリブチレンテレフタレートなどからなるプラスチック製のものである。
【００３８】
また、マウンティングキャップ５は金属製のものであり、環状シール部材６はプラスチック製またはゴム製のものである。
【００３９】
なお、容器本体１を金属製のものとしてその開口側円筒状部の範囲に、ネジ部分１ｂを形成したプラスチック製の円筒状部を被せる形で固定してもよい。
【００４０】
図１〜図４のエアゾール式噴射機構において、内容液を略消尽して補充（再充填）するときは上記ユニットのネジキャップ２，１２を容器本体１から取り外す。
【００４１】
また、注入弁１ｄからの圧縮空気の再充填は、内容液を補充して上記ユニットのネジキャップ２，１２を開口側円筒状部１ａに完全に取付けた状態でおこなう。
【００４２】
ここで、ネジキャップ２，１２を（含む上記ユニット）を容器本体１の開口側円筒状部１ａから取り外すときは、外筒状キャップ４，１４をＢ方向に回動すればよい。
【００４３】
このＢ方向への回動操作にともない、外筒状キャップ４，１４の垂下面４ｅ，内向き起立面１４ｄがそれぞれ、内筒状キャップ３，１３の長起立面３ｆ・短起立面３ｊ，外向き起立面１ｆに当接して当該内筒状キャップをＢ方向に駆動する。
【００４４】
このときの外筒状キャップ４，１４および内筒状キャップ３，１３それぞれの当接面は回動操作方向（Ｂ方向）と略直交する方向なので、内筒状キャップと開口側円筒状部１ａとの螺合状態は容易に解除される。
【００４５】
また、上記ユニットのネジキャップ２，１２を開口側円筒状部１ａに螺合させて取り付けるとき、利用者は、このユニットを開口側円筒状部１ａにその上方からいわば被せて、外筒状キャップ４，１４の回動操作用外周面４ａ，１４ａをＡ方向に回動すればよい。
【００４６】
このＡ方向への回動操作にともない、
(41)先ず、外筒状キャップ４，１４の下向き斜面４ｆ，内向き斜面１４ｅがそれぞれ、内筒状キャップ３，１３の長上向き斜面３ｇ・短上向き斜面３ｋ，外向き斜面１３ｇに当接して当該内筒状キャップをＡ方向に駆動し、
(42)この内筒状キャップ３，１３のＡ方向への駆動により、それぞれのキャップ側ネジ部分３ａ，１３ａが開口側円筒状部１ａの容器本体側ネジ部分１ｂと螺合していき、
(43)この螺合が最後まで進み、利用者からの回動操作トルクが所定値を超えると、外筒状キャップ４，１４の駆動爪４ｄ，１４ｃがいわば撓みながら内筒状キャップ３，１３の長上向き斜面３ｇ・短上向き斜面３ｋ，外向き斜面１３ｇを乗り越えて、外筒状キャップ４，１４の空回り状態に移行する。
【００４７】
この空回り状態では勿論、内筒状キャップ３，１３のキャップ側ネジ部分３ａ，１３と開口側円筒状部１ａの容器本体側ネジ部分１ｂとの螺合動作は進行しない。
【００４８】
そのため、ネジキャップ２，１２の回動締付操作力が大きくなったとしても、環状シール部材６が開口側円筒状部１ａに対して過度に押付けられることはない。また、ネジキャップ締めトルクのばらつきも生じない。
【００４９】
すなわち、周囲の温度上昇などによって容器本体の内圧が高くなる場合には、環状シール部材６が変形して圧縮空気などが容器本体１からリークするので、容器本体内部が排圧される。
【００５０】
上述の外筒状キャップ４，１４が空回り状態に移行するときの回動トルクは例えば「60〜100N・cm」であり、また排圧開始の容器本体内圧は例えば「1MPa」である。
【００５１】
ネジキャップ２，１２を容器本体１に取付けた状態で押しボタン７を下方に押圧すると、ステム８がコイルスプリング（図示省略）の弾性力に抗する形で連動して周知のバルブ機構（弁作用部）がそれまでの閉状態から開状態に移行する。
【００５２】
このバルブ機構の開状態への移行により、容器本体１の内容液が「チューブ１０−ハウジング９の内部空間域−弁作用部−ステム８の内部空間域−（ステムジョイント２０の通路部分２０ａ）−押しボタン７の通路部７ａ」を介して孔部７ｂから外部空間域に噴射される。
【００５３】
なお、図示の上下動タイプの押しボタンに代えて、回動タイプやチルトタイプの操作ボタンを用いるようにしてもよい。
【００５４】
本発明が適用されるエアゾール式製品としては、消臭剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，洗濯のり，ウレタンフォーム，消火器，接着剤，潤滑剤などの各種用途のものがある。
【００５５】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６０】
高分子化合物としては、メチルセルロース，ゼラチン，デンプン，カゼイン，ヒドロキシエチルセルロース，キサンタンガム，カルボキシビニルポリマーなどを用いる。
【００６１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６２】
さらに、上記内容液以外の、懸濁剤，紫外線吸収剤，乳化剤，保湿剤，酸化防止剤、金属イオン封鎖剤なども用いることができる。
【００６３】
エアゾール式製品における内容物噴射用ガスとしては、圧縮空気，炭酸ガス，窒素ガス，酸素ガス，希ガス，これらの混合ガスなどの圧縮ガスや、液化石油ガス，ジメチルエーテル，フロロカーボンなどの液化ガスを用いる。
【符号の説明】
【００６４】
１：容器本体
１ａ：開口側円筒状部
１ｂ：容器本体側ネジ部分
１ｃ：環状段部
１ｄ：圧縮空気充填用の注入弁
（以下の２〜４は図１，図２のみで使用）
２：ネジキャップ
３：内筒状キャップ
３ａ：キャップ側ネジ部分
３ｂ：環状天井面
３ｃ：凸状部
３ｄ：環状上面
３ｅ：長従動爪
３ｆ：長起立面
３ｇ：長上向き斜面
３ｈ：短従動爪
３ｊ：短起立面
３ｋ：短上向き斜面
４：外筒状キャップ
４ａ：回動操作用外周面
４ｂ：環状天井部
４ｃ：可動片部
４ｄ：駆動爪
４ｅ：垂下面
４ｆ：下向き斜面
４ｇ：Ｌ字状貫通部
４ｈ：環凹状部
４ｊ：環状膨出部
４ｋ：縦リブ状部
５：マウンティングキャップ
５ａ：環蒲鉾状膨らみ部
６：環状シール部材
７：押しボタン
７ａ：通路部
７ｂ：内容液噴射用の孔部
８：ステム
９：ハウジング
１０：チューブ
（以下の１２〜２０は図３，図４のみで使用）
１２：ネジキャップ
１３：内筒状キャップ
１３ａ：キャップ側ネジ部分
１３ｂ：環状天井面
１３ｃ：凸状部
１３ｄ：開口側円筒状部
１３ｅ：従動爪
１３ｆ：外向き起立面
１３ｇ：外向き斜面
１４：外筒状キャップ
１４ａ：回動操作用外周面
１４ｂ：開口側円筒状部
１４ｃ：駆動爪
１４ｄ：内向き起立面
１４ｅ：内向き斜面
１４ｆ：環凹状部
１４ｇ：環状膨出部
２０：ステムジョイント
２０ａ：通路部分
Ａ：ネジキャップ２を取り付けるときの回動操作方向
Ｂ：ネジキャップ２を取り外すときの回動操作方向
【図１】
2012017129.tif 000003
【図２】
2012017129.tif 000004
【図３】
2012017129.tif 000005
【図４】
2012017129.tif 000006